(57)【要約】【課題】  回線電圧が一定でない場合であってもオフフックの判断が可能なファクシミリ通信装置を提供する。【解決手段】  ファクシミリ通信装置が接続されている回線電圧Ｖk をｎ回測定し（ステップＳ６０４）、各測定結果の平均電圧Ｖavを算出する（ステップＳ７０１）。算出された平均電圧Ｖavは、予め設定されているオフフックを判断する基準電圧Ｖthと比較される（ステップＳ７０２）。ここで、平均電圧Ｖavが基準電圧Ｖthよりも低いときは、回線がオフフックと判断される（ステップＳ６０７）。一方、平均電圧Ｖavが基準電圧Ｖthよりも大きいときは、回線が使用中であると判断される（ステップＳ６０６／ＮＯ）。【選択図】  図６
2005191955.tif 000002
【特許請求の範囲】
【請求項１】
外付け通信端末が接続された回線の回線電圧を測定する手段を有するファクシミリ通信装置において、
前記ファクシミリ通信装置は、該ファクシミリ通信装置が待機状態にあるとき、
前記回線電圧を複数回測定する第１の測定手段と、
前記第１の測定手段による回線電圧の測定が行われた後、前記回線が使用されているか否かを検出する検出手段と、
前記検出手段によって前記回線が使用されていないことを検出したとき、
前記第１の測定手段によって測定された回線電圧の平均を算出する手段と、
前記第１の測定手段によって測定された回線電圧の平均からユーザが任意に設定した値低い電圧を前記外付け通信端末がオフフックと判断する基準電圧として設定する手段とを有することを特徴とするファクシミリ通信装置。
【請求項２】
前記検出手段によって前記回線の使用されていないことを検出したとき、
前記第１の測定手段によって測定された回線電圧を電圧が低い順に並べる手段と、
最低回線電圧とユーザが任意に選択した最も低い回線電圧以外の回線電圧との差を算出する手段と、
前記最低回線電圧と前記ユーザが任意に選択した前記最低回線電圧以外の回線電圧との差が所定値よりも小さいか否かを判断する手段と、
前記最低回線電圧と前記ユーザが任意に選択した前記最低回線電圧以外の回線電圧との差が所定値よりも小さいとき、前記最低回線電圧からユーザが任意に設定した値下がった電圧を前記外付け通信端末がオフフックと判断する基準電圧として設定する手段とを有することを特徴とする請求項１記載のファクシミリ通信装置。
【請求項３】
前記ユーザが任意に選択した前記最低回線電圧以外の回線電圧は、前記第１の測定手段によって測定された回線電圧の中で２番目に低い電圧であることを特徴とする請求項２記載のファクシミリ通信装置。
【請求項４】
前記検出手段は、リンギング又はファクシミリが受信中であることを検出することを特徴とする請求項１から３のいずれか１項記載のファクシミリ通信装置。
【請求項５】
前記検出手段によって前記回線の使用が検出されたとき、オフフックでないと判断する手段を有することを特徴とする請求項１から４のいずれか１項記載のファクシミリ通信装置。
【請求項６】
前記ファクシミリ通信装置が待機状態に遷移したとき、
前記回線電圧を複数回測定する第２の測定手段と、
前記第２の測定手段によって回線電圧の測定が行われた後、
前記第２の測定手段によって測定された回線電圧の平均を算出する手段と、
前記第２の測定手段によって測定された回線電圧の平均が前記基準電圧より低いか否か判断する手段と、
前記測定された回線電圧の平均が前記基準電圧より低いとき、前記外付け通信端末がオフフックであると判断する手段と、
前記測定された回線電圧の平均が前記基準電圧以上であるとき、前記外付け通信端末がオフフックでないと判断する手段とを有することを特徴とする請求項１から５のいずれか１項記載のファクシミリ通信装置。
【請求項７】
前記第２の測定手段によって回線電圧の測定が行われた後、
前記測定された回線電圧を電圧が低い順に並べる手段と、
ユーザが任意に選択した最低回線電圧以外の回線電圧が前記基準電圧より低いか否か判断する手段と、
前記ユーザが任意に選択した最低回線電圧以外の回線電圧が前記基準電圧より低いとき、前記外付け通信端末がオフフックであると判断する手段と、
前記ユーザが任意に選択した最低回線電圧以外の回線電圧が前記基準電圧以上であるとき、前記外付け通信端末がオフフックでないと判断する手段とを有することを特徴とする請求項６記載のファクシミリ通信装置。
【請求項８】
前記ユーザが任意に選択した前記最低回線電圧以外の回線電圧は、前記第２の測定手段で測定された回線電圧の中で２番目に低い電圧であることを特徴とする請求項７記載のファクシミリ通信装置。
【発明の詳細な説明】
【技術分野】
【０００１】
本発明は、ファクシミリ通信装置が待機状態にあるときの回線電圧の平均を測定することにより、オフフックを正確に検出することができるファクシミリ通信装置に関する。
【背景技術】
【０００２】
従来、電話回線を多数の通信機器が共用する場合に、他の通信機器が電話回線を使用中であるか否かを検出するオフフック検出器は、通信機器が電話回線を使用中であると電圧が低下することを検出することにより、オフフック状態であるか否かを判断していた。または、電話回線が使用中であると通信回線に電流が流れるため、この電流の流れを検出してオフフック状態であるか否かを判断していた。
【０００３】
また、近年、ＳｉＤＡＡ（Silicon Direct Access Arrangement ）と電話回線のインターフェースが開発され、このＳｉＤＡＡを用いることにより回線電圧を容易に計測することができるようになった。
【０００４】
特許文献１は、電圧または電流のいずれの方式でもオフフック状態を検出することができるオフフック検出装置を提案している。
【０００５】
特許文献２は、１つの回線を電話機とファクシミリ装置で共用する場合に、着信時の回線切換をスムーズに行うことができるファクシミリ装置の回線切換方式を提案している。
【０００６】
さらに、オフフックを検出する手段として、ファクシミリ通信網が待機状態にあるときの電圧を計測し、回線電圧が計測した電圧以下になったとき、オフフックと認識する手段、及び回線を閉結してダイヤルトーンを検出したときの電圧をオフフック電圧として、オフフックを認識する手段がある。
【特許文献１】特開平９−２７８６７号公報
【特許文献２】特許第２６４６３６０号公報
【発明の開示】
【発明が解決しようとする課題】
【０００７】
しかしながら、上記の提案には以下に述べる問題がある。
【０００８】
電圧の変化よりオフフック状態を検出する方式は、所定の電圧以下に通信回線の電圧が低下したときオフフック状態であると判定している。よって、公衆通信回線の場合と構内交換機に接続された通信回線とでは、通信回線に供給される直流電圧が異なるため、どちらか一方にしか対処できず、一般には公衆通信回線の場合に用いられていた。
【０００９】
電流の変化によりオフフック状態を検出する方式は、公衆通信回線と構内交換機の両方とも適用できるが、構内交換機の場合は構内交換機と通信機器を接続する通信線路の長さが短く、通信機器がオフフックとなって通信線路に直流電流が流れていても、通信線路の抵抗値が小さく、この線路抵抗による電圧低下も少ないことから複数の通信機器が同一回線に接続される。
【００１０】
また、特許文献１では、電圧または電流のいずれの方式でもオフフック状態を検出できるが、オフフック状態と認識する際に基準となる待機状態における回線電圧の測定において、回線電圧が一定であることを前提としている。したがって、回線電圧が一定でない場合、待機状態における回線電圧を決定することができない。
【００１１】
そこで、本発明は、ファクシミリ通信装置が接続されている回線の回線電圧が一定でない場合であってもオフフック状態を検出することができるファクシミリ通信装置を提供することが目的としている。
【課題を解決するための手段】
【００１２】
請求項１記載のファクシミリ通信装置は、外付け通信端末が接続された回線の回線電圧を測定する手段を有するファクシミリ通信装置において、前記ファクシミリ通信装置は、該ファクシミリ通信装置が待機状態にあるとき、前記回線電圧を複数回測定する第１の測定手段と、前記第１の測定手段による回線電圧の測定が行われた後、前記回線が使用されているか否かを検出する検出手段と、前記検出手段によって前記回線が使用されていないことを検出したとき、前記第１の測定手段によって測定された回線電圧の平均を算出する手段と、前記第１の測定手段によって測定された回線電圧の平均からユーザが任意に設定した値低い電圧を前記外付け通信端末がオフフックと判断する基準電圧として設定する手段とを有することを特徴とする。
【００１３】
請求項２記載の発明は、請求項１記載のファクシミリ通信装置において、前記検出手段によって前記回線の使用されていないことを検出したとき、前記第１の測定手段によって測定された回線電圧を電圧が低い順に並べる手段と、最低回線電圧とユーザが任意に選択した最も低い回線電圧以外の回線電圧との差を算出する手段と、前記最低回線電圧と前記ユーザが任意に選択した前記最低回線電圧以外の回線電圧との差が所定値よりも小さいか否かを判断する手段と、前記最低回線電圧と前記ユーザが任意に選択した前記最低回線電圧以外の回線電圧との差が所定値よりも小さいとき、前記最低回線電圧からユーザが任意に設定した値下がった電圧を前記外付け通信端末がオフフックと判断する基準電圧として設定する手段とを有することを特徴とする。
【００１４】
請求項３記載の発明は、請求項２記載のファクシミリ通信装置において、前記ユーザが任意に選択した前記最低回線電圧以外の回線電圧は、前記第１の測定手段によって測定された回線電圧の中で２番目に低い電圧であることを特徴とする。
【００１５】
請求項４記載の発明は、請求項１から３のいずれか１項記載のファクシミリ通信装置において、前記検出手段は、リンギング又はファクシミリが受信中であることを検出することを特徴とする。
【００１６】
請求項５記載の発明は、請求項１から５のいずれか１項記載のファクシミリ通信装置において、前記検出手段によって前記回線の使用が検出されたとき、オフフックでないと判断する手段を有することを特徴とする。
【００１７】
請求項６記載の発明は、請求項１から５のいずれか１項記載のファクシミリ通信装置において、前記ファクシミリ通信装置が待機状態に遷移したとき、前記回線電圧を複数回測定する第２の測定手段と、前記第２の測定手段によって回線電圧の測定が行われた後、前記第２の測定手段によって測定された回線電圧の平均を算出する手段と、前記第２の測定手段によって測定された回線電圧の平均が前記基準電圧より低いか否か判断する手段と、前記測定された回線電圧の平均が前記基準電圧より低いとき、前記外付け通信端末がオフフックであると判断する手段と、前記測定された回線電圧の平均が前記基準電圧以上であるとき、前記外付け通信端末がオフフックでないと判断する手段とを有することを特徴とする。
【００１８】
請求項７記載の発明は、請求項６記載のファクシミリ通信装置において、前記第２の測定手段によって回線電圧の測定が行われた後、前記測定された回線電圧を電圧が低い順に並べる手段と、ユーザが任意に選択した最低回線電圧以外の回線電圧が前記基準電圧より低いか否か判断する手段と、前記ユーザが任意に選択した最低回線電圧以外の回線電圧が前記基準電圧より低いとき、前記外付け通信端末がオフフックであると判断する手段と、前記ユーザが任意に選択した最低回線電圧以外の回線電圧が前記基準電圧以上であるとき、前記外付け通信端末がオフフックでないと判断する手段とを有することを特徴とする。
【００１９】
請求項８記載の発明は、請求項７記載のファクシミリ通信装置において、前記ユーザが任意に選択した前記最低回線電圧以外の回線電圧は、前記第２の測定手段で測定された回線電圧の中で２番目に低い電圧であることを特徴とする。
【発明の効果】
【００２０】
本発明は、回線が待機状態にあるときの平均の電圧を算出し、その平均の電圧を利用して回線をオフフックと判断する基準電圧を設定することで、回線電圧が一定でなく周期的に変動するような場合であっても、オフフックを検出することができる。
【発明を実施するための最良の形態】
【００２１】
本発明は、ファクシミリ通信装置が接続されている回線が待機状態にあるときの平均電圧を利用して回線をオフフックと判断する基準電圧を設定することで、回線電圧が一定でなく周期的に変動する場合であっても、オフフックを検出することができる。また、本発明はファクシミリ通信装置が公衆回線に接続された場合だけでなく、構内交換機などに接続されている場合であっても同様の処理が可能である。
【実施例】
【００２２】
本発明の実施例を以下に示す。
【００２３】
図１は、ファクシミリ通信装置１００の構成を示すブロック図である。ファクシミリ装置１００は、内蔵されたプログラムに従ってファクシミリ通信装置１００全体を管理・制御する制御部１、ユーザがファクシミリ通信装置１００に命令を与えるキーボード及びファクシミリ通信装置１００がユーザにメッセージ等を表示する表示手段等からなる操作表示部２、画像情報などをページ単位で一時的に格納するページメモリ（ＲＡＭ）３、ファクシミリ装置１００にセットされた原稿を読み込むスキャナ４、画像情報圧縮再生部（以下、ＤＣＲという）５、ＤＣＲ５によって復号化された受信画像情報をページメモリ３を介して出力するプロッタ６、不揮発性メモリや大容量ハードディスク等からなる画像情報等記憶部（ＳＡＦ）７、Ｇ３伝送制御手順に従ってファクシミリ送受信を行う通信制御部（以下、ＣＣＵという）８、低速モデム、高速モデム、ダイヤルトーン等のトーン検出機能を備えたモデムＤＳＰ９、モデムと回線を接続するインターフェースＳｉＤＡＡ１０を有している。
【００２４】
通信回線を通じファクシミリ通信装置１００で受信した文書データ（受信文書）は、ＳｉＤＡＡ１０を通りモデムＤＳＰ９で復号化される。ＤＳＰ９で復号化された文書データは、ＣＣＵ８を通じてＤＣＲ５に送信される。ＤＣＲ５に送信された文書データは、画像再生された後、ページメモリ上３で１ページ分の画像データとして展開される。ページメモリ３上に展開された画像データは、プロッタ６において印刷、又は図示しないインターフェース（Ｉ／Ｆ）手段を介してコンピュータなどのホスト装置へ転送される。
【００２５】
一方、ファクシミリ通信装置１００から他の端末へ送信する場合、スキャナ４で読み取られた画像データは、ページメモリ３上に展開され、ＤＣＲ５で圧縮される。圧縮された画像データは、ＣＣＵ８を通じてモデムＤＳＰ９へ送信される。ＤＳＰ９へ送信された画像データは、符号化された後、ＳｉＤＡＡ１０を通って通信回線へ送信される。
【００２６】
図２は、本発明を適用したファクシミリ通信装置を公衆回線に接続した実施例の構成を示すブロック図である。ＦＡＸ２０１は、本発明を適用したファクシミリ通信装置を示す。ＴＥＬ２０２は、外部通信端末例としての電話を示す。ＦＡＸ２０１及びＴＥＬ２０２は、公衆回線２０３に接続されている。
【００２７】
図３は、ファクシミリ通信装置（自端末）２０１が待機状態にあるとき、ＴＥＬ（外付け通信端末）２０２がオフフックであるか否かを判断する基準電圧を算出する処理のフローチャートである。ｋは、回線電圧の測定回数を示す。よって、第１回目の測定は、ｋ＝１とし（ステップＳ３０１）、回線電圧Ｖk を測定する（ステップＳ３０２）。Ｖk の測定が終了するごとに、ｋ＝ｋ＋１の処理を実行し（ステップＳ３０３）、回線電圧の測定を繰り返す（ステップＳ３０４／ＮＯ）。回線電圧の測定を繰り返し（ステップＳ３０４）、ｋが所定の測定回数ｎに到達すると（ステップＳ３０４／ＹＥＳ）、自端末、又は外部通信端末がリンギング中、若しくは、ファックス（Ｆ網１３００Ｈｚ）が受信中であるか否かが判別される（ステップＳ３０５）。ここで、リンギング中やファックス（Ｆ網１３００Ｈｚ）が受信中である場合は（ステップＳ３０５／ＹＥＳ）、新たに回線電圧の測定が行われる（ステップＳ３０１）。
【００２８】
自端末、又は外部通信端末がリンギング中、若しくは、ファックス受信中でないときは、待機状態においてオフフックと判断する基準電圧Ｖthが、先に行われた回線電圧の測定データを基に決定される（ステップＳ３０６）。
【００２９】
外付け通信端末のリンギングやファックス（Ｆ網）の受信が検出されたときは、基準電圧Ｖthの算出は行われないため、回線電圧が一定でない場合であっても正確に基準電圧Ｖthを算出することができる。
【００３０】
基準電圧Ｖthは、図４に示す処理により算出される。まず、ｎ回測定された回線電圧の平均をＶi として算出する（ステップＳ４０１）。次に、Ｖi とユーザが任意に定めた値αの差をＶi から一定幅下がった電圧を基準電圧Ｖthとして算出する（ステップＳ４０２）。
【００３１】
なお、基準電圧Ｖthは、図５に示す処理によって算出することも可能である。まず、ｎ回測定された各回線電圧（Ｖ1 、Ｖ2 、Ｖ3 、・・・Ｖn ）を小さい順に並べ替えＶmin 、Ｖmin+1 、Ｖmin+2 、・・・Ｖmin+n-1 とする（ステップＳ５０１）。次に、Ｖmin+2 −Ｖmin ＜２が判断される（ステップＳ５０２）。ここで、本実施例においては、Ｖmin+2 とＶmin の電圧差は２としているが、ユーザは任意に変更することができる。そして、Ｖmin+2 −Ｖmin が２よりも小さいときは（ステップＳ５０２／ＹＥＳ）、Ｖmin をＶi とし、Ｖi とユーザが任意に定めた値αの差をＶi から一定幅下がった電圧を基準電圧Ｖthとして算出する（ステップＳ５０３）。一方、Ｖmin+2 −Ｖmin が２以上であるときは（ステップＳ５０２／ＮＯ）、Ｖthの算出は中止される（ステップＳ５０４）。
【００３２】
Ｖmin+2 −Ｖmin の値が一定幅以内（例えば、電圧差２）である場合の基準電圧Ｖthを算出するため、回線電圧が一定でなく、且つ平均電圧でもオフフックの判断が困難な場合であっても、正確にオフフックを検出することができる。
【００３３】
なお、図５においては、Ｖmin+2 とＶmin との差を利用して、Ｖthの算出を行うか否かの判断を行っているが、Ｖmin+n とＶmin との差を利用して、Ｖthの算出を行うか否か判断を行うこともできる。
【００３４】
基準電圧Ｖthが決定されると（ステップＳ３０６）、Ｖthの適正が判断される（ステップＳ３０７）。Ｖthが適正な値であると判断された場合は（ステップＳ３０７／ＹＥＳ）、Ｖthは、ファクシミリ通信網がオフフック状態であると判別する基準値として設定される（ステップＳ３０８）。一方、Ｖthが適正な値でない場合は、再び回線電圧の測定が繰り返される（ステップＳ３０７／ＮＯ）。
【００３５】
次に、外付け通信端末のオフフックを検出する処理について、図６を用いて説明する。ｋは、回線電圧の測定回数を示す。よって、第１回目の測定は、ｋ＝１とし（ステップＳ６０１）、回線電圧Ｖ1 を測定する（ステップＳ６０２）。Ｖk の測定が終了するごとに、ｋ＝ｋ＋１の処理を実行し（ステップＳ６０３）、回線電圧の測定を繰り返す（ステップＳ６０２）。回線電圧の測定を繰り返し（ステップＳ６０２）、ｋが所定の測定回数ｎに到達すると（ステップＳ６０４／ＹＥＳ）、公衆電線２０３がオフフックであるか否かの判別に遷移する（ステップＳ６０５）。
【００３６】
オフフックであるか否かの判別は、図７に示す処理によって行われる。まず、ｎ回測定された回線電圧の平均Ｖavが計算される（ステップＳ７０１）。次に、Ｖavと図１において算出されたＶthを比較し、ＶthがＶavよりも大きいときは（ステップＳ７０２／ＹＥＳ）、オフフックと判断される（ステップＳ７０３）。一方、ＶthがＶavよりも小さいときは、回線が使用されていると判断され、オフフックを検出する処理は終了する（ステップＳ７０４）。
【００３７】
なお、オフフックであるか否かの判別は、図８に示す処理によって行うことも可能である。ｎ回測定された各回線電圧（Ｖ1 、Ｖ2 、Ｖ3 、・・・Ｖn ）を小さい順に並べ替えＶmin 、Ｖmin+1 、Ｖmin+2 、・・・Ｖmin+n-1 とする（ステップＳ８０１）。次に、Ｖth＞Ｖmin+2 が判断される（ステップＳ８０２）。ここで、ＶthがＶmin+2 よりも大きいときは（ステップＳ８０２／ＹＥＳ）、回線がオフフックであると判断され（ステップＳ８０３）、ＶthがＶmin+2 よりも小さいときは、オフフックを検出する処理は終了する（ステップＳ８０４）。図８においては、Ｖthと対比する回線電圧にＶmin+2 を用いたが、Ｖmin+i を用いることも可能である。
【００３８】
図７または図８に示す処理によってオフフックと判断され（ステップＳ６０５）、その判断が適切であると判別されると（ステップＳ６０６／ＹＥＳ）、オフフック判別の処理は終了する（ステップＳ６０７）。一方、オフフックの判断が適切でないと判断されたときは（ステップＳ６０６／ＮＯ）、再び回線電圧の測定が行われる（ステップＳ６０１）。
【００３９】
本実施例においては、公衆回線に本発明を適用したファクシミリ通信装置が接続された例を示したが、ＰＢＸなどの他の交換機に接続しても同様の処理を実行することができる。
【図面の簡単な説明】
【００４０】
【図１】本発明を適用したファクシミリ通信装置の構成を示すブロック図である。
【図２】本発明を適用したファクシミリ通信装置を公衆回線に接続した例を示す図である。
【図３】公衆回線のオフフックを判断する基準電圧を設定する処理を示すフローチャートである。
【図４】公衆回線のオフフックを判別する基準電圧を算出する処理を示すフローチャート１である。
【図５】公衆回線のオフフックを判別する基準電圧を算出する処理を示すフローチャート２である。
【図６】外付け通信端末のオフフックを検出する処理を示すフローチャートである。
【図７】外付け通信端末のオフフックを判別する処理を示すフローチャート１である。
【図８】外付け通信端末のオフフックを判別する処理を示すフローチャート２である。
【符号の説明】
【００４１】
１    制御部
２    操作表示部
３    ページメモリ
４    スキャナ
５    符号化・復号化部（ＤＣＲ）
６    プロッタ
７    ＳＡＦ
８    ＣＣＵ
９    モデムＤＳＰ
１０    ＳｉＤＡＡ
１００    ファクシミリ通信装置
２０１    ＦＡＸ
２０２    ＴＥＬ
２０３    公衆回線
【図１】
2005191955.tif 000003
【図２】
2005191955.tif 000004
【図３】
2005191955.tif 000005
【図４】
2005191955.tif 000006
【図５】
2005191955.tif 000007
【図６】
2005191955.tif 000008
【図７】
2005191955.tif 000009
【図８】
2005191955.tif 000010